(57)【要約】【課題】供給対象へ電圧が供給できない状況の発生を抑制する電源装置を提供する。【解決手段】電源装置１は、バッテリ１０から供給される電圧を調整して第１のマイコン３１に供給する第１のシリーズレギュレータ２１を有する第１の供給経路と、同じくバッテリ１０から供給される電圧を調整して第２のマイコン３２に供給する第２のシリーズレギュレータ２２を有する第２の供給経路と、を備える。第１の供給経路と第２の供給経路とは、第１及び第２のシリーズレギュレータ２１，２２の下流側で第３のスイッチ４３を介して接続されている。第１のマイコン３１は、検出される第１の供給経路の電圧と、通常検出されるべき第１の供給経路の電圧とが異なる場合には、第３のスイッチ４３をオフからオンに切り替える。【選択図】図１
2015006092.tif 000002
【特許請求の範囲】
【請求項１】
電源の電圧を第１及び第２の供給対象に供給する電源装置において、
前記電源から前記第１の供給対象に電圧を供給する第１の供給経路と、
前記電源から前記第２の供給対象に電圧を供給する第２の供給経路と、
前記第１の供給経路に設けられて前記電源の電圧を調整する第１の電圧調整器と、
前記第２の供給経路に設けられて前記電源の電圧を調整する第２の電圧調整器と、
前記第１の供給経路の電圧の検出結果と通常検出されるべき電圧に基づき設定される設定値とを比較し、その比較結果が異なる場合には、比較信号を生成する比較部と、
前記比較信号に基づいて切替信号を生成する信号生成部と、
前記切替信号に基づいて、前記第１の供給経路における前記第１の電圧調整器の下流側と、前記第２の供給経路における前記第２の電圧調整器の下流側との間の導通を通常時はオフに異常時にはオンに切り替える切替部と、を備える電源装置。
【請求項２】
請求項１に記載の電源装置において、
前記第１及び第２の電圧調整器は、互いに等しい電圧に調整する電源装置。
【発明の詳細な説明】
【技術分野】
【０００１】
本発明は、供給対象に電圧を供給する電源装置に関する。
【背景技術】
【０００２】
従来、車両は、制御対象毎に設けられた各種の制御装置と、当該制御装置が駆動するための電圧を供給する電源装置と、を備えている。電源装置は、バッテリと、各種の制御装置に合わせてバッテリの電圧を調整するレギュレータと、を備えている。各種の制御装置は、レギュレータにより適切に調整された電圧が供給されることにより駆動する。
【０００３】
ところで、制御装置は、電源経路が短絡したりバッテリが故障したりする等して電圧の供給が遮断されると制御対象の制御ができない。そこで、特許文献１の電源装置は、メインバッテリとサブバッテリとの２つのバッテリを備えている。これにより、例えばメインバッテリからの供給経路に異常が生じても制御装置は、サブバッテリから電圧が供給されることにより駆動することができる。
【先行技術文献】
【特許文献】
【０００４】
【特許文献１】特開２００９−２５４１８７号公報
【発明の概要】
【発明が解決しようとする課題】
【０００５】
特許文献１のメインバッテリ及びサブバッテリは、同一のレギュレータを介して制御装置と接続されている。このため、レギュレータや、当該レギュレータと制御装置との間の供給経路において異常が生じた場合、制御装置には電圧が供給されない。従ってこの場合、制御装置は、駆動できない。
【０００６】
本発明は、こうした実状に鑑みてなされたものであり、その目的は、供給対象へ電圧が供給できない状況の発生を抑制する電源装置を提供することにある。
【課題を解決するための手段】
【０００７】
上記課題を解決するために、電源の電圧を第１及び第２の供給対象に供給する電源装置は、前記電源から前記第１の供給対象に電圧を供給する第１の供給経路と、前記電源から前記第２の供給対象に電圧を供給する第２の供給経路と、前記第１の供給経路に設けられて前記電源の電圧を調整する第１の電圧調整器と、前記第２の供給経路に設けられて前記電源の電圧を調整する第２の電圧調整器と、前記第１の供給経路の電圧の検出結果と通常検出されるべき電圧に基づき設定される設定値とを比較し、その比較結果が異なる場合には、比較信号を生成する比較部と、前記比較信号に基づいて切替信号を生成する信号生成部と、前記切替信号に基づいて、前記第１の供給経路における前記第１の電圧調整器の下流側と、前記第２の供給経路における前記第２の電圧調整器の下流側との間の導通を通常時はオフに異常時にはオンに切り替える切替部と、を備えることを要旨とする。
【０００８】
この構成によれば、第１の電圧調整器をはじめとする第１の供給経路に不具合が発生した場合でも、第２の電圧調整器によって調整された電圧が第１の供給対象に供給される。これにより、第１の供給対象に電圧が供給されなくなることが抑制される。
【０００９】
上記構成において、前記第１及び第２の電圧調整器は、互いに等しい電圧に調整することが好ましい。
この構成によれば、第１の供給対象は、第２の電圧調整器から供給される電圧をそのまま消費することができる。すなわち、第２の電圧調整器と第１の供給対象との間に、別途電圧調整器をもうける必要がないので、その分、電源装置の部品点数を抑制することができる。
【発明の効果】
【００１０】
本発明の電源装置は、供給対象へ電圧が供給できない状況の発生を抑制する効果がある。
【図面の簡単な説明】
【００１１】
【図１】電源装置の概略構成を示すブロック図。
【発明を実施するための形態】
【００１２】
以下、電源装置の一実施形態について説明する。
図１に示すように、電源装置１は、バッテリ１０、第１のシリーズレギュレータ２１、第２のシリーズレギュレータ２２、第１のマイクロコンピュータ３１（以下、第１のマイコン３１）、及び第２のマイクロコンピュータ３２（以下、第２のマイコン３２）を備えている。
【００１３】
バッテリ１０は、１２ボルト（１２Ｖ）の直流を蓄電する。バッテリ１０は、電源に相当する。
第１のシリーズレギュレータ２１は、バッテリ１０と接続されている。第１のシリーズレギュレータ２１は、トランジスタを備え、当該トランジスタは、バッテリ１０から供給される１２Ｖの電圧を５ボルト（５Ｖ）に調整する。
【００１４】
第２のシリーズレギュレータ２２は、バッテリ１０と接続されている。第２のシリーズレギュレータ２２は、第１のシリーズレギュレータ２１と同様にトランジスタを備え、当該トランジスタは、バッテリ１０から供給される１２Ｖの電圧を５ボルト（５Ｖ）に調整する。
【００１５】
第１のマイコン３１は、第１のスイッチ４１を介して第１のシリーズレギュレータ２１と接続されている。第１のスイッチ４１は、オンオフを通じて第１のシリーズレギュレータ２１から第１のマイコン３１への電圧の供給の有無を切り替える。
【００１６】
第２のマイコン３２は、第２のスイッチ４２を介して第２のシリーズレギュレータ２２と接続されている。第２のスイッチ４２は、オンオフを通じて第２のシリーズレギュレータ２２から第２のマイコン３２への電圧の供給の有無を切り替える。
【００１７】
また、第１のマイコン３１は、ダイオード及び第３のスイッチ４３を介して第２のスイッチ４２の下流側と接続されている。第３のスイッチ４３は、オンオフを通じて第２のスイッチ４２の下流側から第１のマイコン３１への電圧の供給の有無を切り替える。ダイオードは、第２のスイッチ４２の下流側から第１のマイコン３１へのみ電流が流れるように整流する。
【００１８】
なお、第１〜第３のスイッチ４１〜４３は、第１のマイコン３１が生成する切替信号に基づきオンオフを切り替える。第３のスイッチ４３は切替部に相当する。また、第１のシリーズレギュレータ２１が第１の電圧調整器に、第２のシリーズレギュレータ２２が第２の電圧調整器に、それぞれ相当する。
【００１９】
以上説明したように、第１のマイコン３１には、第１のシリーズレギュレータ２１及び第２のシリーズレギュレータ２２から５Ｖの電圧が供給される。また、第２のマイコン３２には、第２のシリーズレギュレータ２２から５Ｖの電圧が供給される。すなわち、第１及び第２のマイコン３１，３２は、５Ｖの電圧が供給されることにより駆動する。
【００２０】
なお、バッテリ１０から第１のシリーズレギュレータ２１及び第１のスイッチ４１を介して第１のマイコン３１に電圧が供給される経路が第１の供給経路に、バッテリ１０から第２のシリーズレギュレータ２２及び第２のスイッチ４２を介して第２のマイコン３２に電圧が供給される経路が第２の供給経路に、それぞれ相当する。
【００２１】
第１のシリーズレギュレータ２１と第１のマイコン３１との間には第１のモニタ回路５１が、第２のシリーズレギュレータ２２と第１のマイコン３１との間には第２のモニタ回路５２が、それぞれ設けられている。第１のマイコン３１は、第１のモニタ回路５１を通じて第１のシリーズレギュレータ２１の下流側の電圧を、第２のモニタ回路５２を通じて第２のシリーズレギュレータ２２の下流側の電圧を、それぞれ検出する。
【００２２】
第１のマイコン３１は、車両の駆動源である図示しないエンジンの始動を制御する始動制御部６１を備えている。
また、第１のマイコン３１は、第１及び第２のモニタ回路５１，５２を通じて検出した各レギュレータ２１，２２の下流側の電圧と、正常時における各レギュレータ２１，２２の下流側の電圧とを比較する比較部６２を備えている。正常時における各レギュレータ２１，２２の下流側の電圧は、比較部６２のメモリ６２ａに記憶されている。比較部６２は、検出した各レギュレータ２１，２２の下流側の電圧と正常時における各レギュレータ２１，２２の下流側の電圧とが異なる場合には、どちらのレギュレータの下流側の電圧が異常かを示す比較信号を生成する。
【００２３】
さらに、第１のマイコン３１は、比較部６２が生成する比較信号に基づいて第１〜第３のスイッチ４１〜４３のオンオフを切り替える切替信号を生成する信号生成部６３を備えている。第１〜第３のスイッチ４１〜４３は、切替信号が入力されると、オンオフを切り替える。
【００２４】
第２のマイコン３２は、ＣＡＮ制御部６４を備えている。ＣＡＮ制御部６４は、車両に設けられる図示しない各種の制御装置間で行われるＣＡＮ通信を制御する。
＜電源装置の作用＞
次に、電源装置１の作用について説明する。なお、説明の前提として、第１及び第２のスイッチ４１，４２はオンに、第３のスイッチ４３はオフに、それぞれ設定されているものとする。また、比較部６２は、第１及び第２のモニタ回路５１，５２を通じて５Ｖの電圧を、それぞれ検出しているものとする。すなわち、第１のマイコン３１には、第１のシリーズレギュレータ２１によって５Ｖに調整された電圧が、第２のマイコン３２には、第２のシリーズレギュレータ２２によって５Ｖに調整された電圧が、それぞれ供給されている。
【００２５】
第１のシリーズレギュレータ２１に不具合が発生した場合、比較部６２は、第１のモニタ回路５１を通じて５Ｖの電圧を検出できなくなる。従って、比較部６２は、検出した第１のシリーズレギュレータ２１の下流側の電圧と、メモリ６２ａに記憶されている第１のシリーズレギュレータ２１の下流側の電圧とが異なることを示す比較信号を生成する。信号生成部６３は、当該比較信号を通じて、切替信号を生成し、当該切替信号を第１及び第３のスイッチ４１，４３に送る。従って、第１のスイッチ４１はオンからオフに、第３のスイッチ４３はオフからオンに、それぞれ切り替える。これにより、バッテリ１０の１２Ｖの電圧は、第２のシリーズレギュレータ２２によって５Ｖに調整されて第１及び第２のマイコン３１，３２に供給される。従って、第１のマイコン３１は、通常時と同様に駆動することができる。
【００２６】
以上詳述したように、本実施形態によれば、以下に示す効果が得られるようになる。
（１）第１のマイコン３１は、第１のシリーズレギュレータ２１を有する第１の供給経路を介してバッテリ１０と接続されている。第２のマイコン３２は、第２のシリーズレギュレータ２２を有する第２の供給経路を介してバッテリ１０と接続されている。これにより、第１及び第２のマイコン３１，３２には５Ｖに調整された電圧が供給されている。また、第１のシリーズレギュレータ２１の下流側と第２のシリーズレギュレータ２２の下流側とが、第３のスイッチ４３を介して接続されている。そして、第１のマイコン３１は、第１のモニタ回路５１を通じて第１のシリーズレギュレータ２１に不具合が発生した場合には、第３のスイッチ４３をオフからオンに切り替える。これにより、第２のシリーズレギュレータ２２によって５Ｖに調整された電圧は、第１のマイコン３１にも供給される。これにより、第１のマイコン３１に電圧が供給されなくなることが抑制される。
【００２７】
（２）第１及び第２のシリーズレギュレータ２１，２２は、互いに５Ｖに調整する。これにより、第１のマイコン３１は、第２のシリーズレギュレータ２２によって調整された電圧が供給されることにより駆動することができる。すなわち、第２のシリーズレギュレータ２２と第１のマイコン３１との間に、第２のシリーズレギュレータ２２によって調整された電圧を再度調整する構成を設ける必要がないので、その分、電源装置１の部品点数を抑制することができる。
【００２８】
なお、上記実施形態は以下のように変更してもよい。
・上記実施形態では、第１のシリーズレギュレータ２１の電圧調整値と第２のシリーズレギュレータ２２の電圧調整値とが等しい構成とされたが、等しくなくてもよい。この場合、第２のシリーズレギュレータ２２と第１のマイコン３１との間に、第２のシリーズレギュレータ２２によって調整された電圧を再度調整する構成を設ければよい。このように構成した場合でも、上記実施形態の（１）の効果と同様の効果を得ることができる。
【００２９】
・上記実施形態において、ダイオードを省略してもよい。この場合、第１のマイコン３１は、第２のモニタ回路５２を通じて第２のシリーズレギュレータ２２に不具合が発生した場合に、第３のスイッチ４３をオフからオンに切り替える。これにより、第１のシリーズレギュレータ２１によって５Ｖに調整された電圧は、第２のマイコン３２にも供給される。これにより、第２のマイコン３２に電圧が供給されなくなることが抑制される。
【００３０】
・上記実施形態において、第１及び第２にシリーズレギュレータ２１，２２は、スイッチングレギュレータなど、他の電圧調整方式を採用する電圧調整器であってもよい。なお、電圧調整値も５Ｖに限らず、供給対象に対応するように任意に設定することができる。
【００３１】
・上記実施形態において、第２のモニタ回路５２は省略してもよい。
・上記実施形態において、第１及び第２のスイッチ４１，４２は省略してもよい。
・上記実施形態において、比較部６２は、検出された電圧と通常時に検出されるべき電圧とが異なる場合、切替信号を生成したが、通常時に検出されるべき電圧には範囲を持たせてもよい。
【００３２】
・上記実施形態において、第１のマイコン３１は車両のエンジンの始動を、第２のマイコン３２はＣＡＮ通信を、それぞれ制御したが、これらマイコン３１，３２制御対象は、これに限らない。
【００３３】
・上記実施形態において、電源装置１の供給対象は、第１及び第２のマイコン３１，３２に限らない。供給対象は、電圧が供給されることにより駆動するものであればよい。また、供給対象は、車両に設けられるものに限らない。
【００３４】
・上記実施形態において、電源装置１の電源は、直流を供給するバッテリ１０であったが、交流を供給するものであってもよい。また、電源装置１は、電源を複数備えていてもよい。
【００３５】
・上記実施形態において、第１のマイコン３１は、比較部６２及び信号生成部６３を備えていたが、これらは、別のマイコンに設けられてもよい。
【符号の説明】
【００３６】
１…電源装置、１０…バッテリ（電源）、２１，２２…シリーズレギュレータ（電圧調整器）、３１，３２…マイクロコンピュータ（供給対象）、４１〜４３スイッチ（切替部）、５１，５２…モニタ回路、６２…比較部、６３…信号生成部。
【図１】
2015006092.tif 000003